(57)【特許請求の範囲】
【請求項１】
ヒンジ部を介して開閉自在に連結された第１および第２筐体と、前記第１筐体の内面に設けられた表示部と、前記第１及び第２筐体のヒンジ部側に設けられた切り欠き部で規定される空間領域に設けられ前記第１及び第２筐体を開いた際に前記第１筐体の内面と同一方向の面にスクロールキーを有するフローティングブロックと、前記第１筐体の切り欠き部に設けられた第１溝部と、前記第２筐体の切り欠き部に設けられた第２溝部と、前記フローティングブロックに設けられ前記第１溝部にスライド自在に嵌合する第１ピンと、前記フローティングブロックに設けられ前記第２溝部にスライド自在に嵌合する第２ピンと、を具備し、
前記第１溝部は、前記第１及び第２筐体を閉じた状態では前記第１ピンが前記第１筐体の外面側の端部に位置し、前記第１及び第２筐体を開いた状態では前記第１ピンが前記第１筐体の内面側の端部に位置するように設けられ、
前記第２溝部は、前記第１及び第２筐体を閉じた状態では前記第２ピンが前記第２筐体の外面側の端部に位置し、前記第１及び第２筐体を開いた状態では前記第２ピンが前記第１筐体の内面側の端部に位置するように設けられる、ことを特徴とする携帯型無線通信装置。
【請求項２】
前記スクロールキーは、前記２つの筐体の幅方向略中央に設けられていることを特徴とする請求項１に記載の携帯型無線通信装置。
【請求項３】
前記スクロールキーは、プッシュキーを兼ねていることを特徴とする請求項１または請求項２に記載の携帯型無線通信装置。
【発明の詳細な説明】
【０００１】
【発明の属する技術分野】
本発明は、携帯電話やＰＨＳ等の携帯型無線通信装置に関し、特に二つ折り型の携帯型無線通信装置に関する。
【０００２】
【従来の技術】
従来の携帯電話やＰＨＳなどの携帯型無線通信装置においては、ＬＣＤ等のディスプレイを設け、年月日、時間、曜日、受信状況、着信有無、相手先電話番号、相手先氏名、メモ等の各種情報を表示することが行われている。そして、ディスプレイに表示した情報を、上下方向にスクロールさせることも行われている。従来、数字入力用のテンキーを、機能キーとの組み合わせによりスクロールキーとして機能させている。
【０００３】
一方、近年ディスプレイが大型化し、表示可能な情報量が増大する傾向にある。例えば、複数の相手先氏名や相手先電話番号を上下方向に並べて表示したり、設定メニューにおいて複数の設定項目を上下方向に配列している。このような配列表示において、例えば、選択項目を強調表示、例えば反転表示しているが、この反転表示の位置を上下に移動させている。
【０００４】
従来、反転表示の移動のためにも、数字入力用のテンキーを、機能キーとの組み合わせにより移動キーとして機能させている。そして、反転表示が所望の位置まで移動したら、別途設けた確定・実行キーにより、選択項目の確定又は操作の実行を行っている。
【０００５】
上述のように、情報のスクロールや反転表示の移動に複数のキーを組み合わせて使用する必要があり、操作が煩雑である。
【０００６】
このような問題を解決するために、いわゆるジョグダイヤルと呼ばれるダイヤル式の操作手段を側面部に設けた無線通信装置が開発されている。この装置では、ダイヤルを上下方向に回して、情報をスクロールし、反転表示を上下方向に移動させている。そして、ダイヤルを装置側へ押し込むことにより、選択項目を選択・実行している。従って、選択及び確定・実行を一つのキーで行うことができる。
【０００７】
【発明が解決しようとする課題】
しかしながら、ジョグダイヤル式の操作手段では、ダイヤルは上下方向の一方向にしか回転しないため、表示した情報をスクロールする方向は上下方向に限られる。同様に、反転表示の上下方向の移動にしか対応できない。このため、スクロール方向や選択項目の配列が上下方向に限られてしまい、デザイン上の制限となってしまう。左右方向の移動を可能にするには、別の移動キーを使用する必要があり、操作が煩雑になる。
【０００８】
また、ダイヤルは、装置を持つ手の親指で扱うのが最も容易でかつ装置を確実に保持できるので好ましい。このため、ダイヤルの回転方向とスクロール方向とを合わせるため、ダイヤルは装置側面部に上下方向に沿って設ける必要がある。従って、左手又は右手のいずれか一方で操作しやすいようにダイヤルを設けてしまうと、他方の手での操作が難しくなってしまう欠点がある。
【０００９】
本発明は、かかる点に鑑みてなされたものであり、操作キーの操作性に優れ、小型かつ軽量な携帯型無線通信装置を提供することを目的とする。
【００１０】
【課題を解決するための手段】
本発明は上記課題を解決するために、以下のような手段を講じた。
【００１１】
本発明に係る携帯型無線通信装置は、ヒンジ部を介して開閉自在に連結された第１および第２筐体と、前記第１筐体の内面に設けられた表示部と、前記第１及び第２筐体のヒンジ部側に設けられた切り欠き部で規定される空間領域に設けられ前記第１及び第２筐体を開いた際に前記第１筐体の内面と同一方向の面にスクロールキーを有するフローティングブロックと、前記第１筐体の切り欠き部に設けられた第１溝部と、前記第２筐体の切り欠き部に設けられた第２溝部と、前記フローティングブロックに設けられ前記第１溝部にスライド自在に嵌合する第１ピンと、前記フローティングブロックに設けられ前記第２溝部にスライド自在に嵌合する第２ピンと、を具備し、前記第１溝部は、前記第１及び第２筐体を閉じた状態では前記第１ピンが前記第１筐体の外面側の端部に位置し、前記第１及び第２筐体を開いた状態では前記第１ピンが前記第１筐体の内面側の端部に位置するように設けられ、前記第２溝部は、前記第１及び第２筐体を閉じた状態では前記第２ピンが前記第２筐体の外面側の端部に位置し、前記第１及び第２筐体を開いた状態では前記第２ピンが前記第１筐体の内面側の端部に位置するように設けられる、構成を採る。
【００１２】
この構成により、スイッチブロックは、２つの筐体の開閉に対して浮いた状態にあり、２つの筐体が完全に開いていない状態でも前面部が露出するため、この前面部にスイッチを設けた場合にいかなる開閉角度でも容易に操作できる。
【００１３】
また、スイッチブロックは２つの筐体の間にわたって設けられているため、デッドスペースとなる２つの筐体の間でヒンジ部近傍にスイッチを設けることができる。従って、比較的大きなスイッチを、装置を大型化することなく設けることができると共に、持ち手の親指で操作しやすい位置に配置できる。
【００１６】
本発明に係る携帯型無線通信装置は、前記スクロールキーが、前記２つの筐体の幅方向略中央に設けられている構成を採る。
【００１７】
この構成により、スクロールキーが装置のほぼ中央に位置するため、持ち手が右手又は左手のいずれであっても親指で操作しやすい位置に配置できる。
【００１８】
本発明に係る携帯型無線通信装置は、前記スクロールキーが、プッシュキーを兼ねている構成を採る。
【００１９】
この構成により、スクロールキーが、プッシュキーを兼ねているため、表示部に表示した情報のスクロールや強調表示の移動と、確定・実行を、操作しやすい位置に配置した一つのキーで行うことができる。
【００２８】
【発明の実施の形態】
以下、本発明の一実施の形態について、図面を用いて詳細に説明する。
【００２９】
図１は、本発明の一実施の形態における携帯型無線通信装置の斜視図である。図２は、上記実施の形態における携帯型無線通信装置の平面図である。
【００３０】
図中１は、装置本体を構成する第１筐体である。第１筐体１は、片手で持ちやすい大きさの略直方形状を有している。
【００３１】
第１筐体１には、テンキーが配列されたテンキー領域２が設けられている。テンキーは、押しやすいように第１筐体１の前面（以下、操作面という）から隆起した形状を有するように形成されている。
【００３２】
テンキー領域２の下方には、マイク部３が設けられている。マイク部３は、音声が第１筐体１に内蔵されたマイクに届くように孔で構成されている。
【００３３】
第１筐体１の上端部の幅方向略中央には、略直方形の切り欠き部４が形成されている。
【００３４】
図中５は、第１筐体１の操作面を覆う蓋部を構成する第２筐体である。第２筐体５の前面（以下、表示面という）には、矩形形状を有するディスプレイ部６が設けられている。ディスプレイ部６は、相手先氏名、電話番号等の情報を表示する。
【００３５】
このディスプレイ部６の上方には、スピーカ部７が設けられている。このスピーカ部７は、第２筐体５に内蔵されたスピーカの音声を出力する開口で構成されており、凹部形状を有している。
【００３６】
この第１筐体１の下端部の幅方向略中央には、切り欠き部８が第１筐体１の切り欠き部４に対応して同様に形成されている。
【００３７】
上述の第１筐体１及び第２筐体５は、ヒンジ部９ａ、９ｂを介して開閉自在に接続されている。そして、２つの切り欠き部４、８で規定される空間領域（以下、収容空間という）１０には、フローティングブロック１１が設けられている。このフローティングブロック１１は、前面部が矩形、側面部が略台形状の外形をなす。この前面部にスクロールスイッチ１２が取り付けられている。スクロールスイッチ１２は、略中央に突起部１２ａを有し、この突起部１２ａを上下左右に押し動かすことにより、ディスプレイ部６に表示した情報をスクロールしたり、反転表示等の強調表示を移動したり、文字等の入力位置を移動したりできるようになっている。さらに、スクロールスイッチ１２は、プッシュスイッチを兼ねており、突起部１２ａをフローティングブロック１１側に押し込むことにより、確定・実行操作を行うことができる。スクロールスイッチ１２は、例えば、フローティングスイッチ、ジョイスティック、トラックボール、トラックパッドのような少なくとも一方向、好ましくは複数方向にスクロール等が可能なものであれば特に限定されない。
【００３８】
以下、フローティングブロック１１の取付状態について説明する。図３は、上記実施の形態にかかる携帯型無線通信装置の開閉状態を示す側面図である。図３に示すように、第１筐体１及び第２筐体５の収容空間１０に面する内側壁面部には、溝部１３、１４がそれぞれ形成されている。この溝部１３、１４に、筐体１０の両側面部にそれぞれ設けた２つのピン１５、１６がスライド自在に嵌合されている。かかる構成により、第１及び第２筐体１、５を閉じた状態では、フローティングブロック１１は、図３中に破線で示すように、収容空間１０内に収容されている。このとき、ピン１５、１６は、溝部１３、１４の第１及び第２筐体１、５の外面側の端部に位置している。第１及び第２筐体１、５をヒンジ部９ａ，９ｂを支点として開いていくと、ピン１５、１６は溝部１３、１４に沿ってスライドし、フローティングブロック１１の動きをガイドする。図３中に２点破線で示すように、第１及び第２筐体１、５を、例えば最大１５５°の角度まで展開すると、ピン１５、１６は、溝部１３、１４の反対側の端部まで移動し、フローティングブロック１１の前面部は上側を向く。
【００３９】
このように、フローティングブロック１１は、第１及び第２筐体１、５の開閉に対して浮いた状態になっている。すなわち、フローティングブロック１１を中心に見ると、第１及び第２筐体１、５の開閉に追随せず静止しており、第１筐体１及び第２筐体５だけが開閉するようになっている。
【００４０】
以上の構成からなる上記実施の形態にかかる携帯型無線通信装置２０は、フローティングブロック１１は、第１及び第２の筐体１、５の開閉に対して浮いた状態にあり、第１及び第２の筐体１、５が完全に開いていない状態でも前面部が露出するため、前面部に設けたスクロールキー１２をいかなる開閉角度でも容易に操作できる。
【００４１】
また、フローティングブロック１１は、第１及び第２の筐体１、５の間にわたって設けられているため、デッドスペースを利用して比較的大型のスクロールキー１２を設けることができる。この結果、携帯型無線通信装置２０の小型化及び軽量化を図りつつ、スクロールキー１２による様々な操作が可能である。
【００４２】
また、スクロールキー１２は、スクロールブロック１１の略中央、すなわち装置の略中央に位置する。このため、図４に示すように、携帯型無線通信装置２０を自然に左手１７で持った場合、左手１７の親指１７ａの位置に位置する。反対に右手で持った場合にも同様である。このように、持ち手が右手又は左手のいずれであっても親指で操作しやすい位置に配置できる。
【００４３】
また、スクロールキー１２によれば、ディスプレイ部６に表示した情報をスクロールしたり、反転表示等の強調表示を移動したり、文字等の入力位置を移動したりできる。さらに、上記実施の形態では、スクロールスイッチ１２は、プッシュスイッチを兼ねており、確定・実行操作も行うことができる。このように、スクロール、移動、確定、実行などの複数の操作を一つのキーで行うことができる。
【００４４】
また、フローティングブロック１１は、第１、第２の筐体１、５を閉じている状態では、図５に示すように、携帯型無線通信装置２０の外形の一部をなす。そして、開いている状態では、第１の筐体１の操作面及び第２の筐体５の表示面から突出する。これにより、非使用時には、スクロールスイッチ１２は装置内部に収納され、装置の外観を損ねることない。一方、使用時には持ち手で操作しやすい位置に配置できる。
【００４５】
【発明の効果】
以上のように本発明によれば、携帯型無線通信装置の操作性が改善できると共に、小型化および軽量化を達成できる。
【図面の簡単な説明】
【図１】本発明の一実施の形態における携帯型無線通信装置の斜視図。
【図２】上記実施の形態における携帯型無線通信装置の平面図。
【図３】上記実施の形態における携帯型無線通信装置における第１筐体及び第２筐体の開閉動作を示す側面図。
【図４】上記実施の形態における携帯型無線通信装置を手で持った状態を示す斜視図。
【図５】上記実施の形態における携帯型無線通信装置の斜視図。
【符号の説明】
１  第１筐体
５  第２筐体
９ａ、９ｂ  ヒンジ部
１１  フローティングブロック
１２  スクロールスイッチ
１３、１４  溝部
１５、１６  ピン
【図１】
0003844585.tif 000002
【図２】
0003844585.tif 000003
【図３】
0003844585.tif 000004
【図４】
0003844585.tif 000005
【図５】
0003844585.tif 000006